(57)【要約】  本発明は、端末、基地局、システムおよび通知方法を開示する。端末は、基地局がブロードキャストするシステムメッセージを受信するよう構成されている受信モジュールであって、システムメッセージは専用チャネルのリソース構成情報を保持し、専用チャネルは、不連続的に送信されると共に所定のしきい値未満の長さを持つアプリケーションデータを送信するために用いられる、受信モジュールと、専用チャネルのリソース構成情報をシステムメッセージから読み出してリソース構成情報を格納するよう構成されている読出モジュールと、専用チャネルを用いて基地局に、不連続的に送信されると共に所定のしきい値未満の長さを持つアプリケーションデータを送信するよう構成されている送信モジュールとを備える。本発明の複数の実施形態を用いることで、基地局が専用チャネルに関する情報を端末に通知する際に無線インターフェースリソースを占有するので通常のネットワークサービスとの間に干渉が発生するという問題が解決されるとしてよい。
2017535982.tif 000002
【特許請求の範囲】
【請求項１】
基地局がブロードキャストするシステムメッセージを受信するよう構成されている受信モジュールであって、前記システムメッセージは専用チャネルのリソース構成情報を保持し、前記専用チャネルは、不連続的に送信されると共に所定のしきい値未満の長さを持つアプリケーションデータを送信するために用いられる、受信モジュールと、
前記専用チャネルを用いて前記基地局に、不連続的に送信されると共に前記所定のしきい値未満の前記長さを持つ前記アプリケーションデータを送信するよう構成されている送信モジュールと
を備える端末。
【請求項２】
前記端末はアイドルモードである
請求項１に記載の端末。
【請求項３】
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
請求項１または２に記載の端末。
【請求項４】
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
請求項３に記載の端末。
【請求項５】
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
請求項３に記載の端末。
【請求項６】
それぞれのサブチャネルの前記セカンダリスケジューリング情報は、リソースブロック位置、周波数ドメイン開始位置、帯域幅およびサブチャネルスケジューリング期間を含む
請求項４または５に記載の端末。
【請求項７】
複数の前記サブチャネルのそれぞれの複数のリソースブロックは時間ドメインにおいて連続している
請求項４から６のいずれか一項に記載の端末。
【請求項８】
前記システムメッセージに保持される前記リソース構成情報はさらに、前記端末を識別するために用いられる直交符号セットまたは非直交符号セットを含み、
前記専用チャネルを用いて前記アプリケーションデータを送信する場合、前記送信モジュールは、前記直交符号セットまたは前記非直交符号セットから直交符号または非直交符号を選択し、前記直交符号または前記非直交符号、および、前記アプリケーションデータの両方を送信する
請求項１から７のいずれか一項に記載の端末。
【請求項９】
前記専用チャネルのリソース構成が変化する場合、前記受信モジュールはさらに、更新後のシステムメッセージを受信し、変化後の前記専用チャネルのリソース構成情報を取得するように構成されており、前記送信モジュールはさらに、前記変化後の専用チャネルを用いて前記アプリケーションデータを送信するよう構成されている
請求項１から８のいずれか一項に記載の端末。
【請求項１０】
入力装置、出力装置、メモリおよびプロセッサを備える端末であって、
前記メモリは、プログラムを格納するように構成されており、前記プロセッサは、
基地局がブロードキャストしたシステムメッセージを受信する段階であって、前記システムメッセージは専用チャネルのリソース構成情報を保持し、前記専用チャネルは不連続に送信されると共に所定のしきい値未満の長さを持つアプリケーションデータを送信するために用いられる、受信する段階と、
前記専用チャネルを用いて前記基地局に、不連続に送信されると共に前記所定のしきい値未満の前記長さを持つ前記アプリケーションデータを送信する段階と
を実行するべく前記プログラムを呼び出すように構成されている
端末。
【請求項１１】
前記端末はアイドルモードである
請求項１０に記載の端末。
【請求項１２】
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
請求項１０または１１に記載の端末。
【請求項１３】
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
請求項１２に記載の端末。
【請求項１４】
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
請求項１２に記載の端末。
【請求項１５】
それぞれのサブチャネルの前記セカンダリスケジューリング情報は、リソースブロック位置、周波数ドメイン開始位置、帯域幅およびサブチャネルスケジューリング期間を含む
請求項１３または１４に記載の端末。
【請求項１６】
複数の前記サブチャネルのそれぞれの複数のリソースブロックは時間ドメインにおいて連続している
請求項１３から１５のいずれか一項に記載の端末。
【請求項１７】
前記システムメッセージに保持される前記リソース構成情報はさらに、前記端末を識別するために用いられる直交符号セットまたは非直交符号セットを含み、
前記専用チャネルを用いて前記アプリケーションデータを送信する場合、前記プロセッサは、前記直交符号セットまたは前記非直交符号セットから直交符号または非直交符号を選択し、前記直交符号または前記非直交符号、および、前記アプリケーションデータの両方を送信する
請求項１０から１６のいずれか一項に記載の端末。
【請求項１８】
前記専用チャネルのリソース構成が変化する場合、前記プロセッサはさらに、
更新後のシステムメッセージを受信する段階と、
変化後の前記専用チャネルのリソース構成情報を取得する段階と、
前記変化後の専用チャネルを用いて前記アプリケーションデータを送信する段階と
を実行するよう構成されている
請求項１０から１９のいずれか一項に記載の端末。
【請求項１９】
端末にシステムメッセージをブロードキャストするよう構成されているブロードキャストモジュールであって、前記システムメッセージは、専用チャネルのリソース構成情報を含み、前記専用チャネルは、不連続的に送信されると共に所定のしきい値未満の長さを持つアプリケーションデータを送信するために用いられる、ブロードキャストモジュールと、
前記専用チャネルを用いて前記端末によって送信される前記アプリケーションデータであって、不連続的に送信されると共に前記所定のしきい値未満の前記長さを持つ前記アプリケーションデータを受信するよう構成されている受信モジュールと
を備える基地局。
【請求項２０】
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
請求項１９に記載の基地局。
【請求項２１】
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
請求項２０に記載の基地局。
【請求項２２】
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
請求項２０に記載の基地局。
【請求項２３】
それぞれのサブチャネルの前記セカンダリスケジューリング情報は、リソースブロック位置、周波数ドメイン開始位置、帯域幅およびサブチャネルスケジューリング期間を含む
請求項２１または２２に記載の基地局。
【請求項２４】
複数の前記サブチャネルのそれぞれの複数のリソースブロックは時間ドメインにおいて連続している
請求項２１から２３のいずれか一項に記載の基地局。
【請求項２５】
前記システムメッセージに保持される前記リソース構成情報はさらに、前記端末を識別するために用いられる直交符号セットまたは非直交符号セットを含み、
前記受信モジュールはさらに、前記専用チャネルを用いて前記端末から送信される直交符号または非直交符号、および、前記アプリケーションデータを受信し、前記直交符号または前記非直交符号を用いて前記端末を認識するよう構成されている
請求項１９から２４のいずれか一項に記載の基地局。
【請求項２６】
前記専用チャネルのリソース構成が変化する場合、前記ブロードキャストモジュールはさらに、更新後のシステムメッセージを前記端末にブロードキャストするよう構成されている
請求項１９から２５のいずれか一項に記載の基地局。
【請求項２７】
入力装置、出力装置、メモリおよびプロセッサを備える基地局であって、
前記メモリは、プログラムを格納するように構成されており、前記プロセッサは、
端末にシステムメッセージをブロードキャストする段階であって、前記システムメッセージは専用チャネルのリソース構成情報を含み、前記専用チャネルは、不連続に送信されると共に所定のしきい値未満の長さを持つアプリケーションデータを送信するために用いられる、ブロードキャストする段階と、
前記専用チャネルを用いて前記端末が送信する前記アプリケーションデータであって、不連続に送信されると共に前記所定のしきい値未満の前記長さを持つ前記アプリケーションデータを受信する段階と
を実行するべく前記プログラムを呼び出すように構成されている
基地局。
【請求項２８】
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
請求項２７に記載の基地局。
【請求項２９】
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
請求項２８に記載の基地局。
【請求項３０】
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
請求項２８に記載の基地局。
【請求項３１】
それぞれのサブチャネルの前記セカンダリスケジューリング情報は、リソースブロック位置、周波数ドメイン開始位置、帯域幅およびサブチャネルスケジューリング期間を含む
請求項２９または３０に記載の基地局。
【請求項３２】
複数の前記サブチャネルのそれぞれの複数のリソースブロックは時間ドメインにおいて連続している
請求項２９から３１のいずれか一項に記載の基地局。
【請求項３３】
前記システムメッセージに保持される前記リソース構成情報はさらに、前記端末を識別するために用いられる直交符号セットまたは非直交符号セットを含み、
前記プロセッサはさらに、前記専用チャネルを用いて前記端末が送信する直交符号または非直交符号、および、前記アプリケーションデータを受信し、前記直交符号または前記非直交符号を用いて前記端末を認識するよう構成されている
請求項２７から３２のいずれか一項に記載の基地局。
【請求項３４】
前記専用チャネルのリソース構成が変化する場合、前記プロセッサはさらに、更新後のシステムメッセージを前記端末にブロードキャストするよう構成されている
請求項２７から３３のいずれか一項に記載の基地局。
【請求項３５】
請求項１から９のいずれか一項に記載の端末と、
請求項１９から２６のいずれか一項に記載の基地局と
を備えるシステム。
【請求項３６】
基地局がブロードキャストするシステムメッセージを端末によって受信することであって、前記システムメッセージは専用チャネルのリソース構成情報を保持し、前記専用チャネルは、不連続的に送信されると共に所定のしきい値未満の長さを持つアプリケーションデータを送信するために用いられる、受信することと、
前記専用チャネルを用いて前記基地局に、不連続的に送信されると共に前記所定のしきい値未満の前記長さを持つ前記アプリケーションデータを前記端末によって送信することと
を備える通知方法。
【請求項３７】
前記端末はアイドルモードである
請求項３６に記載の方法。
【請求項３８】
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
請求項３６または３７に記載の方法。
【請求項３９】
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
請求項３８に記載の方法。
【請求項４０】
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
請求項３８に記載の方法。
【請求項４１】
それぞれのサブチャネルの前記セカンダリスケジューリング情報は、リソースブロック位置、周波数ドメイン開始位置、帯域幅およびサブチャネルスケジューリング期間を含む
請求項３９または４０に記載の方法。
【請求項４２】
複数の前記サブチャネルのそれぞれの複数のリソースブロックは時間ドメインにおいて連続している
請求項３９から４１のいずれか一項に記載の方法。
【請求項４３】
前記システムメッセージに保持される前記リソース構成情報はさらに、前記端末を識別するために用いられる直交符号セットまたは非直交符号セットを含み、
前記専用チャネルを用いて前記アプリケーションデータを送信する場合、前記端末は、前記直交符号セットまたは前記非直交符号セットから直交符号または非直交符号を選択し、前記直交符号または前記非直交符号、および、前記アプリケーションデータの両方を送信する
請求項３６から４２のいずれか一項に記載の方法。
【請求項４４】
前記専用チャネルのリソース構成が変化する場合、前記端末は、更新後のシステムメッセージを受信し、変化後の前記専用チャネルのリソース構成情報を取得し、前記変化後の専用チャネルを用いて前記アプリケーションデータを送信する
請求項３６から４３のいずれか一項に記載の方法。
【請求項４５】
プログラムを格納するコンピュータ記憶媒体であって、前記プログラムは請求項３６から４４のいずれか一項に記載の複数の段階を実行するために用いられるコンピュータ記憶媒体。
【請求項４６】
基地局によってシステムメッセージを端末にブロードキャストすることであって、前記システムメッセージは、専用チャネルのリソース構成情報を含み、前記専用チャネルは、不連続的に送信されると共に所定のしきい値未満の長さを持つアプリケーションデータを送信するために用いられる、ブロードキャストすることと、
前記専用チャネルを用いて前記端末によって送信される前記アプリケーションデータであって、不連続的に送信されると共に前記所定のしきい値未満の前記長さを持つ前記アプリケーションデータを受信することと
を備える通知方法。
【請求項４７】
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
請求項４６に記載の方法。
【請求項４８】
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
請求項４７に記載の方法。
【請求項４９】
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
請求項４７に記載の方法。
【請求項５０】
それぞれのサブチャネルの前記セカンダリスケジューリング情報は、リソースブロック位置、周波数ドメイン開始位置、帯域幅およびサブチャネルスケジューリング期間を含む
請求項４８または４９に記載の方法。
【請求項５１】
複数の前記サブチャネルのそれぞれの複数のリソースブロックは時間ドメインにおいて連続している
請求項４８から５０のいずれか一項に記載の方法。
【請求項５２】
前記システムメッセージに保持される前記リソース構成情報はさらに、前記端末を識別するために用いられる直交符号セットまたは非直交符号セットを含み、
前記基地局は、前記専用チャネルを用いて前記端末が送信する直交符号または非直交符号、および、前記アプリケーションデータを受信し、前記直交符号または前記非直交符号を用いて前記端末を認識する
請求項４６から５１のいずれか一項に記載の方法。
【請求項５３】
前記専用チャネルのリソース構成が変化する場合、前記基地局は、更新後のシステムメッセージを前記端末にブロードキャストする  請求項４６から５２のいずれか一項に記載の基地局。
【請求項５４】
プログラムを格納するコンピュータ記憶媒体であって、前記プログラムは請求項４６から５３のいずれか一項に記載の複数の段階を実行するために用いられるコンピュータ記憶媒体。
【発明の詳細な説明】
【技術分野】
【０００１】
本発明は、通信技術分野に関する。特に、端末、基地局、システムおよび通知方法に関する。
【背景技術】
【０００２】
モバイルインターネット技術の発展に伴い、特に、携帯電話およびタブレットコンピュータ等のインテリジェント端末が登場して普及するにしたがって、このような端末をネットワークにアクセスするために直接利用するユーザが増加している。また、端末のハードウェア性能およびオペレーティングシステム性能が急速に進化するにつれて、コンピュータで用いられていた多くのソフトウェアを現在では、小型化されて携帯可能となったインテリジェント端末で利用することができる。特に、ソーシャルネットワーキングソフトウェアは、比較的頻繁に用いられる。当該ソフトウェアは一般的に、インスタントメッセージングソフトウェアであり、ネットワーク接続は、即時性、周期性等の特徴を持つ。インスタントメッセージングソフトウェアを一例として用いるが、当該ソフトウェアは、端末のオペレーティングシステムで２分毎にハートビートパケットを送信するので、端末はサーバに対して定期的に、端末のステータスを通知する。この目的を実現するため、ネットワークコントローラは、アクセスシグナリングおよびベアラ設定シグナリング等のネットワークシグナリングを数十個送信する必要がある。ネットワークコントローラは、ネットワークシグナリングを送信した後、無線インターフェースリソースを７秒後から１５秒後にリリースする。１ヶ月の間、インスタントメッセージングソフトウェアを利用するユーザが何も操作を実行しない場合であっても、２２３２０個のハートビートパケットが送信される。これは、２２３２０個のメッセージを送信するシグナリング処理能力を消耗することに相当し、または、１万回以上の電話をかけるシグナリング処理能力を消耗することに相当し、１．８３メガバイトのトラフィックが発生する。
【０００３】
上記から、インスタントメッセージングソフトウェアの利用中、端末は大量のネットワークシグナリングを発生させてサーバとの接続を維持しており、数バイトのみを送信するためにネットワークシグナリングが生成されていることが分かる。さらなる問題点として、シグナリングは通常のネットワークサービスと干渉してしまう場合がある。また、将来ネットワークが発展する見込みであることを考慮すると、その頃には多数の端末がネットワークに接続されることになるであろう。したがって、インスタントメッセージの送信と同様に、多くの端末は、比較的コンテンツが少なく比較的短い長さのデータをネットワークに対して不連続的に送信する。データが送信される頻度は比較的低いが、端末が増加するので、大量のネットワークシグナリングリソースが消費される。このようなデータまたはシグナリングを送信するための専用チャネルが設定されれば、基地局は当該専用チャネルに関する情報を端末に通知する必要がある。この場合、依然として無線インターフェースリソースを占有する必要があり、通常のサービスとの間の干渉が容易に発生する。
【発明の概要】
【０００４】
本発明の複数の実施形態は、基地局が専用チャネルに関する情報を端末に通知する場合に無線インターフェースリソースを占有するので、通常のネットワークサービスとの間に干渉が発生するという問題を解決するべく、端末、基地局、システムおよび通知方法を提供する。
【０００５】
本発明の複数の実施形態の第１の態様は端末を提供し、当該端末は、
基地局がブロードキャストするシステムメッセージを受信するよう構成されている受信モジュールであって、システムメッセージは専用チャネルのリソース構成情報を保持し、専用チャネルは、不連続的に送信されると共に所定のしきい値未満の長さを持つアプリケーションデータを送信するために用いられる、受信モジュールと、
専用チャネルを用いて基地局に、不連続的に送信されると共に所定のしきい値未満の長さを持つアプリケーションデータを送信するよう構成されている送信モジュールとを備えるとしてよい。
【０００６】
第１の態様の第１の可能な実施例において、端末はアイドルモードである。
【０００７】
第１の態様に基づき、または、第１の態様の第１の可能な実施例に基づき、第２の可能な実施例では、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【０００８】
第１の態様の第２の可能な実施例に基づき、第３の可能な実施例では、第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【０００９】
第１の態様の第２の可能な実施例に基づき、第４の可能な実施例では、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【００１０】
第１の態様の第３または第４の可能な実施例に基づき、第５の可能な実施例では、それぞれのサブチャネルのセカンダリスケジューリング情報は、リソースブロック位置、周波数ドメイン開始位置、帯域幅およびサブチャネルスケジューリング期間を含む。
【００１１】
第１の態様の第３、第４または第５の可能な実施例に基づき、第６の可能な実施例では、複数のサブチャネルのそれぞれの複数のリソースブロックは時間ドメインにおいて連続している。
【００１２】
第１の態様、または、第１の態様の第１、第２、第３、第４、第５または第６の可能な実施例に基づき、第７の可能な実施例では、システムメッセージに保持されるリソース構成情報はさらに、端末を識別するために用いられる直交符号セットまたは非直交符号セットを含み、専用チャネルを用いてアプリケーションデータを送信する場合、送信モジュールは、直交符号セットまたは非直交符号セットから直交符号または非直交符号を選択し、直交符号または非直交符号、および、アプリケーションデータの両方を送信する。
【００１３】
第１の態様、または、第１の態様の第１、第２、第３、第４、第５、第６または第７の可能な実施例に基づき、第８の可能な実施例では、専用チャネルのリソース構成が変化する場合、受信モジュールはさらに、更新後のシステムメッセージを受信し、変化後の専用チャネルのリソース構成情報を取得するように構成されており、送信モジュールはさらに、変化後の専用チャネルを用いてアプリケーションデータを送信するよう構成されている。
【００１４】
本発明の複数の実施形態の第２の態様は端末を提供し、当該端末は、
入力装置、出力装置、メモリおよびプロセッサを備えるとしてよく、
メモリは、プログラムを格納するように構成されており、プロセッサは、
基地局がブロードキャストしたシステムメッセージを受信する段階であって、システムメッセージは専用チャネルのリソース構成情報を保持し、専用チャネルは、不連続に送信されると共に所定のしきい値未満の長さを持つアプリケーションデータを送信するために用いられる、受信する段階と、
専用チャネルを用いて基地局に、不連続に送信されると共に所定のしきい値未満の長さを持つアプリケーションデータを送信する段階と
を実行するべくプログラムを呼び出すように構成されている。
【００１５】
第２の態様の第１の可能な実施例において、端末はアイドルモードである。
【００１６】
第２の態様に基づき、または、第２の態様の第１の可能な実施例に基づき、第２の可能な実施例では、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【００１７】
第２の態様の第２の可能な実施例に基づき、第３の可能な実施例では、第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【００１８】
第２の態様の第２の可能な実施例に基づき、第４の可能な実施例では、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【００１９】
第２の態様の第３または第４の可能な実施例に基づき、第５の可能な実施例では、それぞれのサブチャネルのセカンダリスケジューリング情報は、リソースブロック位置、周波数ドメイン開始位置、帯域幅およびサブチャネルスケジューリング期間を含む。
【００２０】
第２の態様の第３、第４または第５の可能な実施例に基づき、第６の可能な実施例では、複数のサブチャネルのそれぞれの複数のリソースブロックは時間ドメインにおいて連続している。
【００２１】
第２の態様、または、第２の態様の第１、第２、第３、第４、第５または第６の可能な実施例に基づき、第７の可能な実施例では、システムメッセージに保持されるリソース構成情報はさらに、端末を識別するために用いられる直交符号セットまたは非直交符号セットを含み、専用チャネルを用いてアプリケーションデータを送信する場合、プロセッサは、直交符号セットまたは非直交符号セットから直交符号または非直交符号を選択し、直交符号または非直交符号、および、アプリケーションデータの両方を送信する。
【００２２】
第２の態様、または、第２の態様の第１、第２、第３、第４、第５、第６または第７の可能な実施例に基づき、第８の可能な実施例では、専用チャネルのリソース構成が変化する場合、プロセッサはさらに、
更新後のシステムメッセージを受信する段階と、変化後の専用チャネルのリソース構成情報を取得する段階と、変化後の専用チャネルを用いてアプリケーションデータを送信する段階とを実行するよう構成されている。
【００２３】
本発明の複数の実施形態の第３の態様は基地局を提供し、当該基地局は、
端末にシステムメッセージをブロードキャストするよう構成されているブロードキャストモジュールであって、システムメッセージは、専用チャネルのリソース構成情報を含み、専用チャネルは、不連続的に送信されると共に所定のしきい値未満の長さを持つアプリケーションデータを送信するために用いられる、ブロードキャストモジュールと、
専用チャネルを用いて端末によって送信されるアプリケーションデータであって、不連続的に送信されると共に所定のしきい値未満の長さを持つアプリケーションデータを受信するよう構成されている受信モジュールと
を備えるとしてよい。
【００２４】
第３の態様の第１の可能な実施例において、端末はアイドルモードである。
【００２５】
第３の態様に基づき、または、第３の態様の第１の可能な実施例に基づき、第２の可能な実施例では、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【００２６】
第３の態様の第２の可能な実施例に基づき、第３の可能な実施例では、第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【００２７】
第３の態様の第２の可能な実施例に基づき、第４の可能な実施例では、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【００２８】
第３の態様の第３または第４の可能な実施例に基づき、第５の可能な実施例では、それぞれのサブチャネルのセカンダリスケジューリング情報は、リソースブロック位置、周波数ドメイン開始位置、帯域幅およびサブチャネルスケジューリング期間を含む。
【００２９】
第３の態様の第３、第４または第５の可能な実施例に基づき、第６の可能な実施例では、複数のサブチャネルのそれぞれの複数のリソースブロックは時間ドメインにおいて連続している。
【００３０】
第３の態様、または、第３の態様の第１、第２、第３、第４、第５または第６の可能な実施例に基づき、第７の可能な実施例では、システムメッセージに保持されるリソース構成情報はさらに、端末を識別するために用いられる直交符号セットまたは非直交符号セットを含み、受信モジュールはさらに、専用チャネルを用いて端末から送信される直交符号または非直交符号、および、アプリケーションデータを受信し、直交符号または非直交符号を用いて端末を認識するよう構成されている。
【００３１】
第３の態様、または、第３の態様の第１、第２、第３、第４、第５、第６または第７の可能な実施例に基づき、第８の可能な実施例では、専用チャネルのリソース構成が変化する場合、ブロードキャストモジュールはさらに、更新後のシステムメッセージを端末にブロードキャストするよう構成されている。
【００３２】
本発明の複数の実施形態の第４の態様は基地局を提供し、当該基地局は、
入力装置、出力装置、メモリおよびプロセッサを備えるとしてよい。
メモリは、プログラムを格納するように構成されており、プロセッサは、
端末にシステムメッセージをブロードキャストする段階であって、システムメッセージは専用チャネルのリソース構成情報を含み、専用チャネルは、不連続に送信されると共に所定のしきい値未満の長さを持つアプリケーションデータを送信するために用いられる、ブロードキャストする段階と、
専用チャネルを用いて端末が送信するアプリケーションデータであって、不連続に送信されると共に所定のしきい値未満の長さを持つアプリケーションデータを受信する段階と
を実行するべくプログラムを呼び出すように構成されている。
【００３３】
第４の態様の第１の可能な実施例において、端末はアイドルモードである。
【００３４】
第４の態様に基づき、または、第４の態様の第１の可能な実施例に基づき、第２の可能な実施例では、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【００３５】
第４の態様の第２の可能な実施例に基づき、第３の可能な実施例では、第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【００３６】
第４の態様の第２の可能な実施例に基づき、第４の可能な実施例では、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【００３７】
第４の態様の第３または第４の可能な実施例に基づき、第５の可能な実施例では、それぞれのサブチャネルのセカンダリスケジューリング情報は、リソースブロック位置、周波数ドメイン開始位置、帯域幅およびサブチャネルスケジューリング期間を含む。
【００３８】
第４の態様の第３、第４または第５の可能な実施例に基づき、第６の可能な実施例では、複数のサブチャネルのそれぞれの複数のリソースブロックは時間ドメインにおいて連続している。
【００３９】
第４の態様、または、第４の態様の第１、第２、第３、第４、第５または第６の可能な実施例に基づき、第７の可能な実施例では、システムメッセージに保持されるリソース構成情報はさらに、端末を識別するために用いられる直交符号セットまたは非直交符号セットを含み、プロセッサはさらに、専用チャネルを用いて端末が送信する直交符号または非直交符号、および、アプリケーションデータを受信し、直交符号または非直交符号を用いて端末を認識するよう構成されている。
【００４０】
第４の態様、または、第４の態様の第１、第２、第３、第４、第５、第６または第７の可能な実施例に基づき、第８の可能な実施例では、専用チャネルのリソース構成が変化する場合、プロセッサはさらに、更新後のシステムメッセージを端末にブロードキャストするよう構成されている。
【００４１】
本発明の複数の実施形態の第５の態様はシステムを提供し、当該システムは、
本発明の複数の実施形態の第１の態様または第１の態様の複数の実施例のいずれか１つに係る端末と、
本発明の複数の実施形態の第３の態様または第３の態様の複数の実施例のうちいずれか１つに係る基地局と
を備えるとしてよい。
【００４２】
本発明の複数の実施形態の第６の態様は通知方法を提供し、当該通知方法は、
基地局がブロードキャストするシステムメッセージを端末によって受信することであって、システムメッセージは専用チャネルのリソース構成情報を保持し、専用チャネルは、不連続的に送信されると共に所定のしきい値未満の長さを持つアプリケーションデータを送信するために用いられる、受信することと、
専用チャネルを用いて基地局に、不連続的に送信されると共に所定のしきい値未満の長さを持つアプリケーションデータを端末によって送信することと
を備えるとしてよい。
【００４３】
第６の態様の第１の可能な実施例において、端末はアイドルモードである。
【００４４】
第６の態様に基づき、または、第６の態様の第１の可能な実施例に基づき、第２の可能な実施例では、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【００４５】
第６の態様の第２の可能な実施例に基づき、第３の可能な実施例では、第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【００４６】
第６の態様の第２の可能な実施例に基づき、第４の可能な実施例では、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【００４７】
第６の態様の第３または第４の可能な実施例に基づき、第５の可能な実施例では、それぞれのサブチャネルのセカンダリスケジューリング情報は、リソースブロック位置、周波数ドメイン開始位置、帯域幅およびサブチャネルスケジューリング期間を含む。
【００４８】
第６の態様の第３、第４または第５の可能な実施例に基づき、第６の可能な実施例では、複数のサブチャネルのそれぞれの複数のリソースブロックは時間ドメインにおいて連続している。
【００４９】
第６の態様、または、第６の態様の第１、第２、第３、第４、第５または第６の可能な実施例に基づき、第７の可能な実施例では、システムメッセージに保持されるリソース構成情報はさらに、端末を識別するために用いられる直交符号セットまたは非直交符号セットを含み、専用チャネルを用いてアプリケーションデータを送信する場合、端末は、直交符号セットまたは非直交符号セットから直交符号または非直交符号を選択し、直交符号または非直交符号、および、アプリケーションデータの両方を送信する。
【００５０】
第６の態様、または、第６の態様の第１、第２、第３、第４、第５、第６または第７の可能な実施例に基づき、第８の可能な実施例では、専用チャネルのリソース構成が変化する場合、端末は、更新後のシステムメッセージを受信し、変化後の専用チャネルのリソース構成情報を取得し、変化後の専用チャネルを用いてアプリケーションデータを送信する。
【００５１】
本発明の複数の実施形態の第７の態様はコンピュータ記憶媒体を提供し、当該コンピュータ記憶媒体はプログラムを格納し、当該プログラムは、本発明の複数の実施形態の第６の態様に係る通知方法の一部または全ての段階を実行するために用いられる。
【００５２】
本発明の複数の実施形態の第８の態様は通知方法を提供し、当該通知方法は、
基地局によってシステムメッセージを端末にブロードキャストすることであって、システムメッセージは、専用チャネルのリソース構成情報を含み、専用チャネルは、不連続的に送信されると共に所定のしきい値未満の長さを持つアプリケーションデータを送信するために用いられる、ブロードキャストすることと、
専用チャネルを用いて端末によって送信されるアプリケーションデータであって、不連続的に送信されると共に所定のしきい値未満の長さを持つアプリケーションデータを受信することと
を備えるとしてよい。
【００５３】
第８の態様の第１の可能な実施例において、端末はアイドルモードである。
【００５４】
第８の態様に基づき、または、第８の態様の第１の可能な実施例に基づき、第２の可能な実施例では、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【００５５】
第８の態様の第２の可能な実施例に基づき、第３の可能な実施例では、第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【００５６】
第８の態様の第２の可能な実施例に基づき、第４の可能な実施例では、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【００５７】
第８の態様の第３または第４の可能な実施例に基づき、第５の可能な実施例では、それぞれのサブチャネルのセカンダリスケジューリング情報は、リソースブロック位置、周波数ドメイン開始位置、帯域幅およびサブチャネルスケジューリング期間を含む。
【００５８】
第８の態様の第３、第４または第５の可能な実施例に基づき、第６の可能な実施例では、複数のサブチャネルのそれぞれの複数のリソースブロックは時間ドメインにおいて連続している。
【００５９】
第８の態様、または、第８の態様の第１、第２、第３、第４、第５または第６の可能な実施例に基づき、第７の可能な実施例では、システムメッセージに保持されるリソース構成情報はさらに、端末を識別するために用いられる直交符号セットまたは非直交符号セットを含み、基地局は、専用チャネルを用いて端末が送信する直交符号または非直交符号、および、アプリケーションデータを受信し、直交符号または非直交符号を用いて端末を認識する。
【００６０】
第８の態様、または、第８の態様の第１、第２、第３、第４、第５、第６または第７の可能な実施例に基づき、第８の可能な実施例では、専用チャネルのリソース構成が変化する場合、基地局は、更新後のシステムメッセージを端末にブロードキャストする。
【００６１】
本発明の複数の実施形態の第９の態様はコンピュータ記憶媒体を提供し、当該コンピュータ記憶媒体はプログラムを格納し、当該プログラムは、本発明の複数の実施形態の第８の態様に係る通知方法の一部または全ての段階を実行するために用いられる。
【００６２】
本発明の複数の実施形態を実施することで、以下に記載する有益な効果が得られる。
【００６３】
端末は、システムメッセージが専用チャネルのリソース構成情報を保持する場合に、基地局がブロードキャストしたシステムメッセージを受信することによって、システムメッセージから専用チャネルのリソース構成情報を読み出してリソース構成情報を格納することが可能であり、不連続に送信されると共に所定のしきい値未満の長さを持つアプリケーションデータを基地局に送信する必要がある場合に専用チャネルを利用することが可能である。プロセス全体を通して、新たなシグナリングおよび無線インターフェースリソースを利用する必要がない。そして、専用チャネルが取得される場合には、シグナリングリソースおよび無線インターフェースリソースの消費が抑えられ、通常のネットワークサービスとの間に干渉が発生しない。専用チャネルが取得された後、当該チャネルはアプリケーションデータを送信するために用いられるとしてよく、基地局との間で大量のシグナリングをやり取りして接続を確立する必要がなく、比較的大量のシグナリングリソースおよび無線インターフェースリソースを占有する必要がない。このため、システム全体のリソース利用効率が改善され、通常のネットワークサービスが通常通り進行することが保証される。
【図面の簡単な説明】
【００６４】
本発明の複数の実施形態または先行技術に係る技術的解決方法をより明確に説明するべく、複数の実施形態を説明するために必要な添付図面について以下で簡潔に説明する。以下に記載する添付図面は単に本発明の一部の実施形態を示していることが明らかであり、それでも当業者であれば創造力を発揮することなく以下の添付図面に基づき他の図面を得るであろうことも明らかである。
【００６５】
【図１】本発明の実施形態に係る端末の実施形態を示す概略構造図である。
【００６６】
【図２】本発明の実施形態に係る端末の別の実施形態を示す概略構造図である。
【００６７】
【図３】本発明の実施形態に係る基地局の実施形態を示す概略構造図である。
【００６８】
【図４】本発明の実施形態に係る基地局の別の実施形態を示す概略構造図である。
【００６９】
【図５】本発明の実施形態に係るシステムを示す概略構造図である。
【００７０】
【図６】本発明の実施形態に係る通知方法の実施形態を示す概略フローチャートである。
【００７１】
【図７】本発明の実施形態に係る通知方法の別の実施形態を示す概略フローチャートである。
【発明を実施するための形態】
【００７２】
以下では、本発明の複数の実施形態の添付図面を参照しつつ、本発明の複数の実施形態に係る技術的解決方法を明瞭且つ完全に説明する。記載する実施形態は単に本発明の複数の実施形態の一部に過ぎず全てではないことが明らかである。創造力を発揮することなく本発明の複数の実施形態に基づき当業者が想到し得た他の複数の実施形態は全て、本発明の保護範囲に入るものとする。
【００７３】
図１を参照すると、図１は、本発明の実施形態に係る端末の実施形態を示す概略構造図である。本発明の本実施形態において、端末は、
基地局がブロードキャストするシステムメッセージを受信するよう構成されている受信モジュール１０であって、システムメッセージは専用チャネルのリソース構成情報を保持し、専用チャネルは、不連続的に送信されると共に所定のしきい値未満の長さを持つアプリケーションデータを送信するために用いられる、受信モジュール１０と、
専用チャネルを用いて基地局に、不連続的に送信されると共に所定のしきい値未満の長さを持つアプリケーションデータを送信するよう構成されている送信モジュール１１とを備える。
【００７４】
任意で、端末はアイドルモードである。アプリケーションデータを送信する前、アイドルモードの端末は、まず基地局にアクセスして、基地局との間で大量のシグナリングをやり取りして接続を確立する必要がある。この場合、大量のシグナリングリソースが占有され、通常のネットワークサービスに影響が出る。このため、本実施形態では、アイドルモードの端末が、専用チャネルを用いて、不連続に送信されると共に所定のしきい値未満の長さを持つアプリケーションデータを送信するとしてよい。しかし、端末は、アイドルモードであるので、基地局が送信する他の情報は受信出来ない。端末は、基地局のカバレッジにあるセルに入ると、または、一のセルから別のセルに移動すると、基地局がブロードキャストしているシステムメッセージから専用チャネルのリソース情報を読み出して当該情報を格納するとしてよい。ユーザは、専用チャネルを用いてアプリケーションデータを送信または受信する必要がある場合、専用チャネルを用いてアプリケーションデータを送信または受信する。
【００７５】
不連続に送信されると共に所定のしきい値未満の長さを持つアプリケーションデータは、不連続に送信されると共に所定のしきい値未満の長さを持つアプリケーションシグナリング、および／または、不連続に送信されると共に所定のしきい値未満の長さを持つパケットを含む。
【００７６】
実施可能な方法において、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【００７７】
システムメッセージブロックが１つのみの場合、全ての情報はこのシステムメッセージブロックに格納される。
【００７８】
専用チャネルに関する情報がシステムメッセージに含まれており、専用チャネルのスケジューリング期間は、システムが実行するスケジューリングに応じて決まる。送信予定のシステムメッセージが１つのサブフレームで十分に保持出来ない場合、システムは、システムメッセージに対応するスケジューリングウィンドウ内の複数の連続するサブフレームでのスケジューリングを実行するとしてよい。
【００７９】
連続スケジューリング用のウィンドウは、例えば、時分割複信（Ｔｉｍｅ  Ｄｉｖｉｓｉｏｎ  Ｄｕｐｌｅｘ、ＴＤＤと省略）のアップリンクタイムスロット等の他の情報のスケジューリングとのコンフリクトを回避する必要があることを理解されたい。
【００８０】
専用チャネルは、複数のサブチャネルを含むとしてよい。このため、任意で、第１のシステムメッセージブロックは、専用チャネル上のそれぞれのサブチャネルを別々にスケジューリングするために用いられるとしてよく、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。例えば、サブチャネルＡのセカンダリスケジューリング情報は第２のシステムメッセージブロックに含まれるとしてよく、サブチャネルＢのセカンダリスケジューリング情報は第３のシステムメッセージブロックに含まれるとしてよい。専用チャネルのスケジューリングが開始される場合、スケジューリングは最初に第１のシステムメッセージブロックで実行され、対応する後続の複数のシステムメッセージブロックは、システムメッセージブロックマッピング情報に応じてマッピングされる。複数の異なるサブチャネルのセカンダリスケジューリング情報は複数の異なるシステムメッセージブロックに含まれるので、サブチャネルＡおよびサブチャネルＢのスケジューリング期間は、本明細書においてそれぞれ異なるとしてよい。複数の異なるサブチャネルについて複数の異なるシステムメッセージ送信期間をスケジューリングすることによって、特定の種類のアプリケーションは、専用チャネルに関する情報をより短時間で取得することが可能であり、複数の異なるサブチャネルのスケジューリングを異ならせるとしてよい。
【００８１】
これに代えて、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【００８２】
この場合、全てのサブチャネルの全てのセカンダリスケジューリング情報は一のシステムブロックに格納されている。このため、スケジューリングは同時に実行され１回限りである。
【００８３】
それぞれのサブチャネルのセカンダリスケジューリング情報は、リソースブロック位置、周波数ドメイン開始位置、帯域幅およびサブチャネルスケジューリング期間を含む。
【００８４】
複数のサブチャネルのそれぞれの複数のリソースブロックは、時間ドメインにおいて連続している。つまり、複数のリソースブロックのスケジューリングは、複数の連続するサブフレームで実行されるとしてよく、複数の連続するサブフレームでスケジューリングが実行される場合、スケジューリングが実行される複数の連続するサブフレームの量を特定する必要がある。例えば、スケジューリングが実行される複数の連続するサブフレームの量が２である場合、サブチャネルについて２つの連続するサブフレームでスケジューリングが実行されることを示す。特定されていない場合、スケジューリングは１つのサブフレームで実行される。
【００８５】
システムメッセージに保持されるリソース構成情報はさらに、端末を識別するために用いられる直交符号セットまたは非直交符号セットを含み、専用チャネルを用いてアプリケーションデータを送信する場合、送信モジュールは、直交符号セットまたは非直交符号セットから直交符号または非直交符号を選択し、直交符号または非直交符号、および、アプリケーションデータの両方を送信する。
【００８６】
これは、多くの端末が一の同一の専用チャネルを共有しているためである。端末は移動可能であるので、システムは移動可能な端末を把握していないとしてよい。このため、端末は、専用チャネルでアップリンク送信を実行する際、アップリンク識別のために直交符号または非直交符号を必要とする。直交符号セットは予め定められているとしてよく、複数の直交符号セットがある場合、一の直交符号セットのサブセットを複数の異なるチャネルに利用するとしてもよい。端末は、送信を実行する場合、送信用に直交符号サブセットから一の符号を選択するとしてよく、端末の識別子、例えば、国際移動電話加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｄｙ、ＩＭＳＩと省略）を保持する必要がある。端末が直交符号を用いてアップリンク送信を実行する場合、当該直交符号を用いてコンフリクトを解決する。このため、システム情報において、専用チャネルで利用する直交符号セット（サブセット）を端末に通知する必要がある。非直交符号を用いる場合の原理も同様であり、本明細書では詳細は繰り返し記載しない。
【００８７】
専用チャネルのリソース構成が変化する場合、受信モジュールはさらに、更新後のシステムメッセージを受信し、変化後の専用チャネルのリソース構成情報を取得するように構成されており、送信モジュール１１はさらに、変化後の専用チャネルを用いてアプリケーションデータを送信するよう構成されている。
【００８８】
端末は、システムメッセージが専用チャネルのリソース構成情報を保持する場合に、基地局がブロードキャストしたシステムメッセージを受信することによって、システムメッセージから専用チャネルのリソース構成情報を読み出してリソース構成情報を格納することが可能であり、不連続に送信されると共に所定のしきい値未満の長さを持つアプリケーションデータを基地局に送信する必要がある場合に専用チャネルを利用することが可能である。プロセス全体を通して、新たなシグナリングおよび無線インターフェースリソースを利用する必要がない。そして、専用チャネルが取得される場合には、シグナリングリソースおよび無線インターフェースリソースの消費が抑えられ、通常のネットワークサービスとの間に干渉が発生しない。専用チャネルが取得された後、当該チャネルはアプリケーションデータを送信するために用いられるとしてよく、基地局との間で大量のシグナリングをやり取りして接続を確立する必要がなく、比較的大量のシグナリングリソースおよび無線インターフェースリソースを占有する必要がない。このため、システム全体のリソース利用効率が改善され、通常のネットワークサービスが通常通り進行することが保証される。
【００８９】
図２を参照すると、図２は、本発明の実施形態に係る端末の別の実施形態を示す概略構造図である。本実施形態では、端末は、入力装置２０、出力装置２１、メモリ２２、および、プロセッサ２３を備える。入力装置２０、出力装置２１、メモリ２２およびプロセッサ２３はバスを用いて接続される。
【００９０】
メモリ２２は、プログラムを格納するように構成されており、プロセッサ２３は、
基地局がブロードキャストしたシステムメッセージを受信する段階であって、システムメッセージは専用チャネルのリソース構成情報を保持し、専用チャネルは不連続に送信されると共に所定のしきい値未満の長さを持つアプリケーションデータを送信するために用いられる、受信する段階と、
専用チャネルを用いて基地局に、不連続に送信されると共に所定のしきい値未満の長さを持つアプリケーションデータを送信する段階と
を実行するべくプログラムを呼び出すように構成されている。
【００９１】
任意で、端末はアイドルモードである。
【００９２】
実施可能な方法において、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【００９３】
第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【００９４】
これに代えて、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【００９５】
それぞれのサブチャネルのセカンダリスケジューリング情報は、リソースブロック位置、周波数ドメイン開始位置、帯域幅およびサブチャネルスケジューリング期間を含む。
【００９６】
複数のサブチャネルのそれぞれの複数のリソースブロックは、時間ドメインにおいて連続している。
【００９７】
システムメッセージに保持されるリソース構成情報はさらに、端末を識別するために用いられる直交符号セットまたは非直交符号セットを含み、専用チャネルを用いてアプリケーションデータを送信する場合、プロセッサ４３は、直交符号セットまたは非直交符号セットから直交符号または非直交符号を選択し、直交符号または非直交符号、および、アプリケーションデータの両方を送信する。
【００９８】
専用チャネルのリソース構成が変化する場合、プロセッサ４３はさらに、
更新後のシステムメッセージを受信する段階と、変化後の専用チャネルのリソース構成情報を取得する段階と、変化後の専用チャネルを用いてアプリケーションデータを送信する段階と
を実行するように構成されている。
【００９９】
不連続に送信されると共に所定のしきい値未満の長さを持つアプリケーションデータは、不連続に送信されると共に所定のしきい値未満の長さを持つアプリケーションシグナリング、および／または、不連続に送信されると共に所定のしきい値未満の長さを持つパケットを含む。
【０１００】
図３を参照すると、図３は、本発明の実施形態に係る基地局の実施形態を示す概略構造図である。本実施形態において、基地局は、
端末にシステムメッセージをブロードキャストするよう構成されているブロードキャストモジュール３０であって、システムメッセージは、専用チャネルのリソース構成情報を含み、専用チャネルは、不連続的に送信されると共に所定のしきい値未満の長さを持つアプリケーションデータを送信するために用いられ、不連続的に送信されると共に所定のしきい値未満の長さを持つアプリケーションデータは、不連続的に送信されると共に所定のしきい値未満の長さを持つアプリケーションシグナリング、および／または、不連続的に送信されると共に所定のしきい値未満の長さを持つパケットを含む、ブロードキャストモジュール３０と、
専用チャネルを用いて端末によって送信されるアプリケーションデータであって、不連続的に送信されると共に所定のしきい値未満の長さを持つアプリケーションデータを受信するよう構成されている受信モジュール３１と
を備える。
【０１０１】
実施可能な方法において、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【０１０２】
実施可能な方法において、第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【０１０３】
これに代えて、実施可能な方法において、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【０１０４】
それぞれのサブチャネルのセカンダリスケジューリング情報は、リソースブロック位置、周波数ドメイン開始位置、帯域幅およびサブチャネルスケジューリング期間を含む。
【０１０５】
複数のサブチャネルのそれぞれの複数のリソースブロックは、時間ドメインにおいて連続している。
【０１０６】
実施可能な方法において、システムメッセージに保持されるリソース構成情報はさらに、端末を識別するために用いられる直交符号セットまたは非直交符号セットを含み、受信モジュール３１はさらに、専用チャネルを用いて端末から送信される直交符号または非直交符号、および、アプリケーションデータを受信し、直交符号または非直交符号を用いて端末を認識するよう構成されている。
【０１０７】
実施可能な方法において、専用チャネルのリソース構成が変化する場合、ブロードキャスト３０はさらに、更新後のシステムメッセージを端末にブロードキャストするように構成されており、これによって、端末は変化後の専用チャネルのリソース構成情報を取得して、変化後の専用チャネルを利用してアプリケーションデータを送信する。
【０１０８】
図４を参照すると、図４は、本発明の実施形態に係る基地局の別の実施形態を示す概略構造図である。本実施形態では、基地局は、
入力装置４０、出力装置４１、メモリ４２、および、プロセッサ４３を備える。
入力装置４０、出力装置４１、メモリ４２およびプロセッサ４３はバスを用いて接続される。
【０１０９】
メモリ４２は、プログラムを格納するように構成されており、プロセッサ４３は、
端末にシステムメッセージをブロードキャストする段階であって、システムメッセージは専用チャネルのリソース構成情報を含み、専用チャネルは、不連続に送信されると共に所定のしきい値未満の長さを持つアプリケーションデータを送信するために用いられる、ブロードキャストする段階と、
専用チャネルを用いて端末が送信するアプリケーションデータであって、不連続に送信されると共に所定のしきい値未満の長さを持つアプリケーションデータを受信する段階と
を実行するべくプログラムを呼び出すように構成されている。
【０１１０】
システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【０１１１】
第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【０１１２】
第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【０１１３】
それぞれのサブチャネルのセカンダリスケジューリング情報は、リソースブロック位置、周波数ドメイン開始位置、帯域幅およびサブチャネルスケジューリング期間を含む。
【０１１４】
複数のサブチャネルのそれぞれの複数のリソースブロックは、時間ドメインにおいて連続している。
【０１１５】
システムメッセージに保持されるリソース構成情報はさらに、端末を識別するために用いられる直交符号セットまたは非直交符号セットを含み、プロセッサ４３はさらに、専用チャネルを用いて端末から送信される直交符号または非直交符号、および、アプリケーションデータを受信し、直交符号または非直交符号を用いて端末を認識するよう構成されている。
【０１１６】
専用チャネルのリソース構成が変化する場合、プロセッサ４３はさらに、更新後のシステムメッセージを端末にブロードキャストするように構成されており、これによって、端末は変化後の専用チャネルのリソース構成情報を取得して、変化後の専用チャネルを利用してアプリケーションデータを送信する。
【０１１７】
不連続に送信されると共に所定のしきい値未満の長さを持つアプリケーションデータは、不連続に送信されると共に所定のしきい値未満の長さを持つアプリケーションシグナリング、および／または、不連続に送信されると共に所定のしきい値未満の長さを持つパケットを含む。
【０１１８】
図５を参照すると、図５は、本発明の実施形態に係るシステムを示す概略構造図である。本実施形態において、システムは、図１に示す端末５０と、図３に示す基地局５１とを備える。
【０１１９】
基地局５１は、無線インターフェース専用チャネルの構成情報を端末５０にシステムメッセージを用いて送信する。この結果、端末５０は、無線インターフェース専用チャネルを用いて、不連続的に送信されると共に所定のしきい値未満の長さを持つアプリケーションデータを送信する。
【０１２０】
図６を参照すると、図６は、本発明の実施形態に係る通知方法の実施形態を示す概略フローチャートである。本実施形態において、当該方法は以下を備える。
【０１２１】
Ｓ６００：端末は、基地局がブロードキャストしたシステムメッセージを受信する。
【０１２２】
システムメッセージは、専用チャネルのリソース構成情報を保持する。専用チャネルは、不連続的に送信されると共に所定のしきい値未満の長さを持つアプリケーションデータを送信するよう構成されている。
【０１２３】
任意で、端末はアイドルモードである。
【０１２４】
端末は、システムメッセージから専用チャネルのリソース構成情報を読み出して、リソース構成情報を格納するとしてよい。
【０１２５】
Ｓ６０１：端末は、専用チャネルを用いて基地局に、不連続的に送信されると共に所定のしきい値未満の長さを持つアプリケーションデータを送信する。
【０１２６】
実施可能な方法において、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【０１２７】
実施可能な方法において、第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【０１２８】
これに代えて、実施可能な方法において、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【０１２９】
それぞれのサブチャネルのスケジューリング情報は、リソースブロック位置、周波数ドメイン開始位置、帯域幅およびサブチャネルスケジューリング期間を含む。
【０１３０】
複数のサブチャネルのそれぞれの複数のリソースブロックは、時間ドメインにおいて連続している。
【０１３１】
システムメッセージに保持されるリソース構成情報はさらに、端末を識別するために用いられる直交符号セットまたは非直交符号セットを含み、専用チャネルを用いてアプリケーションデータを送信する場合、端末は、直交符号セットまたは非直交符号セットから直交符号または非直交符号を選択し、直交符号または非直交符号、および、アプリケーションデータの両方を送信する。
【０１３２】
専用チャネルのリソース構成が変化する場合、端末は、更新後のシステムメッセージを受信し、変化後の専用チャネルのリソース構成情報を取得し、変化後の専用チャネルを用いてアプリケーションデータを送信する。
【０１３３】
不連続に送信されると共に所定のしきい値未満の長さを持つアプリケーションデータは、不連続に送信されると共に所定のしきい値未満の長さを持つアプリケーションシグナリング、および／または、不連続に送信されると共に所定のしきい値未満の長さを持つパケットを含む。
【０１３４】
本発明の複数の実施形態の別の態様はコンピュータ記憶媒体を提供し、当該コンピュータ記憶媒体はプログラムを格納し、当該プログラムは、図６に図示する複数の方法の実施形態のいずれか１つに係る複数の段階を実行するために用いられる。
【０１３５】
図７を参照すると、図７は、本発明の実施形態に係る通知方法の別の実施形態を示す概略フローチャートである。本実施形態において、当該方法は以下を備える。
【０１３６】
Ｓ７００：基地局はシステムメッセージを端末にブロードキャストする。システムメッセージは、専用チャネルのリソース構成情報を含み、専用チャネルは、不連続的に送信されると共に所定のしきい値未満の長さを持つアプリケーションデータを送信するために用いられる。
【０１３７】
任意で、Ｓ７００の前に、基地局は、専用チャネルのリソース構成情報をシステムメッセージに格納するとしてよい。
【０１３８】
Ｓ７０１：専用チャネルを用いて端末が送信するアプリケーションデータを受信する。当該アプリケーションデータは、不連続的に送信されると共に所定のしきい値未満の長さを持つ。
【０１３９】
実施可能な方法において、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【０１４０】
実施可能な方法において、第１のシステムメッセージブロックは、専用チャネル上のそれぞれのサブチャネルを別々にスケジューリングするために用いられ、それぞれのサブチャネルのセカンダリスケジューリング情報は、少なくとも１つのシステムメッセージブロックのうち第１のシステムメッセージブロック以外の一の異なるシステムメッセージブロックを用いて別々に送信される。
【０１４１】
これに代えて、実施可能な方法において、第１のシステムメッセージブロックは、専用チャネル上の複数のサブチャネルの全てを同時にスケジューリングするために用いられ、専用チャネルの複数のサブチャネルの全てのセカンダリスケジューリング情報の全ては、格納されており、少なくとも１つのシステムメッセージブロックのうち第２のシステムメッセージブロックを用いて送信される。
【０１４２】
それぞれのサブチャネルのスケジューリング情報は、リソースブロック位置、周波数ドメイン開始位置、帯域幅およびサブチャネルスケジューリング期間を含む。
【０１４３】
複数のサブチャネルのそれぞれの複数のリソースブロックは、時間ドメインにおいて連続している。
【０１４４】
システムメッセージに保持されるリソース構成情報はさらに、端末を識別するために用いられる直交符号セットまたは非直交符号セットを含み、基地局は、専用チャネルを用いて端末から送信される直交符号または非直交符号、および、アプリケーションデータを受信し、直交符号または非直交符号を用いて端末を認識する。
【０１４５】
実施可能な方法において、専用チャネルのリソース構成が変化する場合、基地局は、変化後の専用チャネルのリソース構成情報をシステムメッセージに格納し、更新後のシステムメッセージを端末にブロードキャストする。この結果、端末は、変化後の専用チャネルのリソース構成情報を取得して、変化後の専用チャネルを用いてアプリケーションデータを送信する。
【０１４６】
不連続に送信されると共に所定のしきい値未満の長さを持つアプリケーションデータは、不連続に送信されると共に所定のしきい値未満の長さを持つアプリケーションシグナリング、および／または、不連続に送信されると共に所定のしきい値未満の長さを持つパケットを含む。
【０１４７】
本発明の複数の実施形態の別の態様はコンピュータ記憶媒体を提供し、当該コンピュータ記憶媒体はプログラムを格納し、当該プログラムは、図７に図示する複数の方法の実施形態のいずれか１つに係る複数の段階を実行するために用いられる。
【０１４８】
上記の複数の実施形態の説明によると、本発明には以下の利点がある。
【０１４９】
端末は、システムメッセージが専用チャネルのリソース構成情報を保持する場合に、基地局がブロードキャストしたシステムメッセージを受信することによって、システムメッセージから専用チャネルのリソース構成情報を読み出してリソース構成情報を格納することが可能であり、不連続に送信されると共に所定のしきい値未満の長さを持つアプリケーションデータを基地局に送信する必要がある場合に専用チャネルを利用することが可能である。プロセス全体を通して、新たなシグナリングおよび無線インターフェースリソースを利用する必要がない。そして、専用チャネルが取得される場合には、シグナリングリソースおよび無線インターフェースリソースの消費が抑えられ、通常のネットワークサービスとの間に干渉が発生しない。専用チャネルが取得された後、当該チャネルはアプリケーションデータを送信するために用いられるとしてよく、基地局との間で大量のシグナリングをやり取りして接続を確立する必要がなく、比較的大量のシグナリングリソースおよび無線インターフェースリソースを占有する必要がない。このため、システム全体のリソース利用効率が改善され、通常のネットワークサービスが通常通り進行することが保証される。
【０１５０】
当業者であれば、複数の方法の実施形態が備える段階の一部または全ては、関連するハードウェアに指示を出すプログラムによって実装され得るものと理解するであろう。プログラムは、コンピュータ可読記憶媒体に格納されるとしてよい。プログラムが実行されると、複数の方法の実施形態が備える複数の段階が実行される。上記の記憶媒体は、ＲＯＭ、ＲＡＭ、磁気ディスクまたは光ディスク等、プログラムコードを格納可能な任意の媒体を含む。
【０１５１】
本発明の複数の実施形態で提供される端末、基地局、システムおよび通知方法は、詳細に上述している。本明細書では、具体例を用いて本発明の原理および実施方法を説明しており、複数の実施形態の説明は、本発明の方法および中心となる考えを理解する上で助けになることのみを意図している。また、当業者であれば、本発明の考えに基づき、具体的な実施方法および適用範囲を変更し得る。このため、本明細書の記載内容は、本発明を限定するものと解釈されるべきではない。
【図１】
2017535982.tif 000003
【図２】
2017535982.tif 000004
【図３】
2017535982.tif 000005
【図４】
2017535982.tif 000006
【図５】
2017535982.tif 000007
【図６】
2017535982.tif 000008
【図７】
2017535982.tif 000009
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
基地局がブロードキャストするシステムメッセージを受信する受信モジュールであって、前記システムメッセージは専用チャネルのリソース構成情報を保持し、前記専用チャネルは、不連続的に送信されると共に所定のしきい値未満の長さを持つアプリケーションデータを送信するために用いられる、受信モジュールと、
前記専用チャネルを用いて前記基地局に、不連続的に送信されると共に前記所定のしきい値未満の前記長さを持つ前記アプリケーションデータを送信する送信モジュールと
を備える端末。
【請求項２】
前記端末はアイドルモードである
請求項１に記載の端末。
【請求項３】
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
請求項１または２に記載の端末。
【請求項４】
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
請求項３に記載の端末。
【請求項５】
前記第１のシステムメッセージブロックは、前記専用チャネル上の複数のサブチャネルの全てを同時にスケジューリングするために用いられ、前記専用チャネルの前記複数のサブチャネルの全てのセカンダリスケジューリング情報の全ては、格納されており、前記少なくとも１つのシステムメッセージブロックのうち第２のシステムメッセージブロックを用いて送信される
請求項３に記載の端末。
【請求項６】
それぞれのサブチャネルの前記セカンダリスケジューリング情報は、リソースブロック位置、周波数ドメイン開始位置、帯域幅およびサブチャネルスケジューリング期間を含む
請求項４または５に記載の端末。
【請求項７】
複数の前記サブチャネルのそれぞれの複数のリソースブロックは時間ドメインにおいて連続している
請求項４から６のいずれか一項に記載の端末。
【請求項８】
前記システムメッセージに保持される前記リソース構成情報はさらに、前記端末を識別するために用いられる直交符号セットまたは非直交符号セットを含み、
前記専用チャネルを用いて前記アプリケーションデータを送信する場合、前記送信モジュールは、前記直交符号セットまたは前記非直交符号セットから直交符号または非直交符号を選択し、前記直交符号または前記非直交符号、および、前記アプリケーションデータの両方を送信する
請求項１から７のいずれか一項に記載の端末。
【請求項９】
前記専用チャネルのリソース構成が変化する場合、前記受信モジュールはさらに、更新後のシステムメッセージを受信し、変化後の前記専用チャネルのリソース構成情報を取得し、前記送信モジュールはさらに、前記変化後の専用チャネルを用いて前記アプリケーションデータを送信する
請求項１から８のいずれか一項に記載の端末。
【請求項１０】
入力装置、出力装置、メモリおよびプロセッサを備える端末であって、
前記メモリは、プログラムを格納し、前記プロセッサは、
基地局がブロードキャストしたシステムメッセージを受信する段階であって、前記システムメッセージは専用チャネルのリソース構成情報を保持し、前記専用チャネルは不連続に送信されると共に所定のしきい値未満の長さを持つアプリケーションデータを送信するために用いられる、受信する段階と、
前記専用チャネルを用いて前記基地局に、不連続に送信されると共に前記所定のしきい値未満の前記長さを持つ前記アプリケーションデータを送信する段階と
を実行するべく前記プログラムを呼び出す
端末。
【請求項１１】
端末にシステムメッセージをブロードキャストするブロードキャストモジュールであって、前記システムメッセージは、専用チャネルのリソース構成情報を含み、前記専用チャネルは、不連続的に送信されると共に所定のしきい値未満の長さを持つアプリケーションデータを送信するために用いられる、ブロードキャストモジュールと、
前記専用チャネルを用いて前記端末によって送信される前記アプリケーションデータであって、不連続的に送信されると共に前記所定のしきい値未満の前記長さを持つ前記アプリケーションデータを受信する受信モジュールと
を備える基地局。
【請求項１２】
入力装置、出力装置、メモリおよびプロセッサを備える基地局であって、
前記メモリは、プログラムを格納し、前記プロセッサは、
端末にシステムメッセージをブロードキャストする段階であって、前記システムメッセージは専用チャネルのリソース構成情報を含み、前記専用チャネルは、不連続に送信されると共に所定のしきい値未満の長さを持つアプリケーションデータを送信するために用いられる、ブロードキャストする段階と、
前記専用チャネルを用いて前記端末が送信する前記アプリケーションデータであって、不連続に送信されると共に前記所定のしきい値未満の前記長さを持つ前記アプリケーションデータを受信する段階と
を実行するべく前記プログラムを呼び出す
基地局。
【請求項１３】
請求項１から９のいずれか一項に記載の端末と、
請求項１１に記載の基地局と
を備えるシステム。
【請求項１４】
基地局がブロードキャストするシステムメッセージを端末によって受信することであって、前記システムメッセージは専用チャネルのリソース構成情報を保持し、前記専用チャネルは、不連続的に送信されると共に所定のしきい値未満の長さを持つアプリケーションデータを送信するために用いられる、受信することと、
前記専用チャネルを用いて前記基地局に、不連続的に送信されると共に前記所定のしきい値未満の前記長さを持つ前記アプリケーションデータを前記端末によって送信することと
を備える通知方法。
【請求項１５】
請求項１４に記載の通知方法をプロセッサに実行させるためのプログラム。
【請求項１６】
基地局によってシステムメッセージを端末にブロードキャストすることであって、前記システムメッセージは、専用チャネルのリソース構成情報を含み、前記専用チャネルは、不連続的に送信されると共に所定のしきい値未満の長さを持つアプリケーションデータを送信するために用いられる、ブロードキャストすることと、
前記専用チャネルを用いて前記端末によって送信される前記アプリケーションデータであって、不連続的に送信されると共に前記所定のしきい値未満の前記長さを持つ前記アプリケーションデータを受信することと
を備える通知方法。
【請求項１７】
請求項１６に記載の通知方法をプロセッサに実行させるためのプログラム。
【手続補正２】
【補正対象書類名】明細書
【補正対象項目名】０００７
【補正方法】変更
【補正の内容】
【０００７】
第１の態様、または、第１の態様の第１の可能な実施例に基づき、第２の可能な実施例では、システムメッセージは少なくとも１つのシステムメッセージブロックを含み、少なくとも１つのシステムメッセージブロックのうち第１のシステムメッセージブロックは専用チャネルのプライマリスケジューリング情報を保持するために用いられ、プライマリスケジューリング情報は、スケジューリングウィンドウの長さ、スケジューリング期間、および、システムメッセージブロックマッピング情報を含む。
【手続補正３】
【補正対象書類名】明細書
【補正対象項目名】００９７
【補正方法】変更
【補正の内容】
【００９７】
システムメッセージに保持されるリソース構成情報はさらに、端末を識別するために用いられる直交符号セットまたは非直交符号セットを含み、専用チャネルを用いてアプリケーションデータを送信する場合、プロセッサ２３は、直交符号セットまたは非直交符号セットから直交符号または非直交符号を選択し、直交符号または非直交符号、および、アプリケーションデータの両方を送信する。
【手続補正４】
【補正対象書類名】明細書
【補正対象項目名】０１０７
【補正方法】変更
【補正の内容】
【０１０７】
実施可能な方法において、専用チャネルのリソース構成が変化する場合、ブロードキャストモジュール３０はさらに、更新後のシステムメッセージを端末にブロードキャストするように構成されており、これによって、端末は変化後の専用チャネルのリソース構成情報を取得して、変化後の専用チャネルを利用してアプリケーションデータを送信する。
【手続補正５】
【補正対象書類名】明細書
【補正対象項目名】０１５１
【補正方法】変更
【補正の内容】
【０１５１】
本発明の複数の実施形態で提供される端末、基地局、システムおよび通知方法は、詳細に上述している。本明細書では、具体例を用いて本発明の原理および実施方法を説明しており、複数の実施形態の説明は、本発明の方法および中心となる考えを理解する上で助けになることのみを意図している。また、当業者であれば、本発明の考えに基づき、具体的な実施方法および適用範囲を変更し得る。このため、本明細書の記載内容は、本発明を限定するものと解釈されるべきではない。
＜項目１＞
基地局がブロードキャストするシステムメッセージを受信するよう構成されている受信モジュールであって、前記システムメッセージは専用チャネルのリソース構成情報を保持し、前記専用チャネルは、不連続的に送信されると共に所定のしきい値未満の長さを持つアプリケーションデータを送信するために用いられる、受信モジュールと、
前記専用チャネルを用いて前記基地局に、不連続的に送信されると共に前記所定のしきい値未満の前記長さを持つ前記アプリケーションデータを送信するよう構成されている送信モジュールと
を備える端末。
＜項目２＞
前記端末はアイドルモードである
項目１に記載の端末。
＜項目３＞
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
項目１または２に記載の端末。
＜項目４＞
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
項目３に記載の端末。
＜項目５＞
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
項目３に記載の端末。
＜項目６＞
それぞれのサブチャネルの前記セカンダリスケジューリング情報は、リソースブロック位置、周波数ドメイン開始位置、帯域幅およびサブチャネルスケジューリング期間を含む
項目４または５に記載の端末。
＜項目７＞
複数の前記サブチャネルのそれぞれの複数のリソースブロックは時間ドメインにおいて連続している
項目４から６のいずれか一項に記載の端末。
＜項目８＞
前記システムメッセージに保持される前記リソース構成情報はさらに、前記端末を識別するために用いられる直交符号セットまたは非直交符号セットを含み、
前記専用チャネルを用いて前記アプリケーションデータを送信する場合、前記送信モジュールは、前記直交符号セットまたは前記非直交符号セットから直交符号または非直交符号を選択し、前記直交符号または前記非直交符号、および、前記アプリケーションデータの両方を送信する
項目１から７のいずれか一項に記載の端末。
＜項目９＞
前記専用チャネルのリソース構成が変化する場合、前記受信モジュールはさらに、更新後のシステムメッセージを受信し、変化後の前記専用チャネルのリソース構成情報を取得するように構成されており、前記送信モジュールはさらに、前記変化後の専用チャネルを用いて前記アプリケーションデータを送信するよう構成されている
項目１から８のいずれか一項に記載の端末。
＜項目１０＞
入力装置、出力装置、メモリおよびプロセッサを備える端末であって、
前記メモリは、プログラムを格納するように構成されており、前記プロセッサは、
基地局がブロードキャストしたシステムメッセージを受信する段階であって、前記システムメッセージは専用チャネルのリソース構成情報を保持し、前記専用チャネルは不連続に送信されると共に所定のしきい値未満の長さを持つアプリケーションデータを送信するために用いられる、受信する段階と、
前記専用チャネルを用いて前記基地局に、不連続に送信されると共に前記所定のしきい値未満の前記長さを持つ前記アプリケーションデータを送信する段階と
を実行するべく前記プログラムを呼び出すように構成されている
端末。
＜項目１１＞
前記端末はアイドルモードである
項目１０に記載の端末。
＜項目１２＞
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
項目１０または１１に記載の端末。
＜項目１３＞
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
項目１２に記載の端末。
＜項目１４＞
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
項目１２に記載の端末。
＜項目１５＞
それぞれのサブチャネルの前記セカンダリスケジューリング情報は、リソースブロック位置、周波数ドメイン開始位置、帯域幅およびサブチャネルスケジューリング期間を含む
項目１３または１４に記載の端末。
＜項目１６＞
複数の前記サブチャネルのそれぞれの複数のリソースブロックは時間ドメインにおいて連続している
項目１３から１５のいずれか一項に記載の端末。
＜項目１７＞
前記システムメッセージに保持される前記リソース構成情報はさらに、前記端末を識別するために用いられる直交符号セットまたは非直交符号セットを含み、
前記専用チャネルを用いて前記アプリケーションデータを送信する場合、前記プロセッサは、前記直交符号セットまたは前記非直交符号セットから直交符号または非直交符号を選択し、前記直交符号または前記非直交符号、および、前記アプリケーションデータの両方を送信する
項目１０から１６のいずれか一項に記載の端末。
＜項目１８＞
前記専用チャネルのリソース構成が変化する場合、前記プロセッサはさらに、
更新後のシステムメッセージを受信する段階と、
変化後の前記専用チャネルのリソース構成情報を取得する段階と、
前記変化後の専用チャネルを用いて前記アプリケーションデータを送信する段階と
を実行するよう構成されている
項目１０から１９のいずれか一項に記載の端末。
＜項目１９＞
端末にシステムメッセージをブロードキャストするよう構成されているブロードキャストモジュールであって、前記システムメッセージは、専用チャネルのリソース構成情報を含み、前記専用チャネルは、不連続的に送信されると共に所定のしきい値未満の長さを持つアプリケーションデータを送信するために用いられる、ブロードキャストモジュールと、
前記専用チャネルを用いて前記端末によって送信される前記アプリケーションデータであって、不連続的に送信されると共に前記所定のしきい値未満の前記長さを持つ前記アプリケーションデータを受信するよう構成されている受信モジュールと
を備える基地局。
＜項目２０＞
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
項目１９に記載の基地局。
＜項目２１＞
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
項目２０に記載の基地局。
＜項目２２＞
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
項目２０に記載の基地局。
＜項目２３＞
それぞれのサブチャネルの前記セカンダリスケジューリング情報は、リソースブロック位置、周波数ドメイン開始位置、帯域幅およびサブチャネルスケジューリング期間を含む
項目２１または２２に記載の基地局。
＜項目２４＞
複数の前記サブチャネルのそれぞれの複数のリソースブロックは時間ドメインにおいて連続している
項目２１から２３のいずれか一項に記載の基地局。
＜項目２５＞
前記システムメッセージに保持される前記リソース構成情報はさらに、前記端末を識別するために用いられる直交符号セットまたは非直交符号セットを含み、
前記受信モジュールはさらに、前記専用チャネルを用いて前記端末から送信される直交符号または非直交符号、および、前記アプリケーションデータを受信し、前記直交符号または前記非直交符号を用いて前記端末を認識するよう構成されている
項目１９から２４のいずれか一項に記載の基地局。
＜項目２６＞
前記専用チャネルのリソース構成が変化する場合、前記ブロードキャストモジュールはさらに、更新後のシステムメッセージを前記端末にブロードキャストするよう構成されている
項目１９から２５のいずれか一項に記載の基地局。
＜項目２７＞
入力装置、出力装置、メモリおよびプロセッサを備える基地局であって、
前記メモリは、プログラムを格納するように構成されており、前記プロセッサは、
端末にシステムメッセージをブロードキャストする段階であって、前記システムメッセージは専用チャネルのリソース構成情報を含み、前記専用チャネルは、不連続に送信されると共に所定のしきい値未満の長さを持つアプリケーションデータを送信するために用いられる、ブロードキャストする段階と、
前記専用チャネルを用いて前記端末が送信する前記アプリケーションデータであって、不連続に送信されると共に前記所定のしきい値未満の前記長さを持つ前記アプリケーションデータを受信する段階と
を実行するべく前記プログラムを呼び出すように構成されている
基地局。
＜項目２８＞
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
項目２７に記載の基地局。
＜項目２９＞
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
項目２８に記載の基地局。
＜項目３０＞
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
項目２８に記載の基地局。
＜項目３１＞
それぞれのサブチャネルの前記セカンダリスケジューリング情報は、リソースブロック位置、周波数ドメイン開始位置、帯域幅およびサブチャネルスケジューリング期間を含む
項目２９または３０に記載の基地局。
＜項目３２＞
複数の前記サブチャネルのそれぞれの複数のリソースブロックは時間ドメインにおいて連続している
項目２９から３１のいずれか一項に記載の基地局。
＜項目３３＞
前記システムメッセージに保持される前記リソース構成情報はさらに、前記端末を識別するために用いられる直交符号セットまたは非直交符号セットを含み、
前記プロセッサはさらに、前記専用チャネルを用いて前記端末が送信する直交符号または非直交符号、および、前記アプリケーションデータを受信し、前記直交符号または前記非直交符号を用いて前記端末を認識するよう構成されている
項目２７から３２のいずれか一項に記載の基地局。
＜項目３４＞
前記専用チャネルのリソース構成が変化する場合、前記プロセッサはさらに、更新後のシステムメッセージを前記端末にブロードキャストするよう構成されている
項目２７から３３のいずれか一項に記載の基地局。
＜項目３５＞
項目１から９のいずれか一項に記載の端末と、
項目１９から２６のいずれか一項に記載の基地局と
を備えるシステム。
＜項目３６＞
基地局がブロードキャストするシステムメッセージを端末によって受信することであって、前記システムメッセージは専用チャネルのリソース構成情報を保持し、前記専用チャネルは、不連続的に送信されると共に所定のしきい値未満の長さを持つアプリケーションデータを送信するために用いられる、受信することと、
前記専用チャネルを用いて前記基地局に、不連続的に送信されると共に前記所定のしきい値未満の前記長さを持つ前記アプリケーションデータを前記端末によって送信することと
を備える通知方法。
＜項目３７＞
前記端末はアイドルモードである
項目３６に記載の方法。
＜項目３８＞
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
項目３６または３７に記載の方法。
＜項目３９＞
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
項目３８に記載の方法。
＜項目４０＞
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
項目３８に記載の方法。
＜項目４１＞
それぞれのサブチャネルの前記セカンダリスケジューリング情報は、リソースブロック位置、周波数ドメイン開始位置、帯域幅およびサブチャネルスケジューリング期間を含む
項目３９または４０に記載の方法。
＜項目４２＞
複数の前記サブチャネルのそれぞれの複数のリソースブロックは時間ドメインにおいて連続している
項目３９から４１のいずれか一項に記載の方法。
＜項目４３＞
前記システムメッセージに保持される前記リソース構成情報はさらに、前記端末を識別するために用いられる直交符号セットまたは非直交符号セットを含み、
前記専用チャネルを用いて前記アプリケーションデータを送信する場合、前記端末は、前記直交符号セットまたは前記非直交符号セットから直交符号または非直交符号を選択し、前記直交符号または前記非直交符号、および、前記アプリケーションデータの両方を送信する
項目３６から４２のいずれか一項に記載の方法。
＜項目４４＞
前記専用チャネルのリソース構成が変化する場合、前記端末は、更新後のシステムメッセージを受信し、変化後の前記専用チャネルのリソース構成情報を取得し、前記変化後の専用チャネルを用いて前記アプリケーションデータを送信する
項目３６から４３のいずれか一項に記載の方法。
＜項目４５＞
プログラムを格納するコンピュータ記憶媒体であって、前記プログラムは項目３６から４４のいずれか一項に記載の複数の段階を実行するために用いられるコンピュータ記憶媒体。
＜項目４６＞
基地局によってシステムメッセージを端末にブロードキャストすることであって、前記システムメッセージは、専用チャネルのリソース構成情報を含み、前記専用チャネルは、不連続的に送信されると共に所定のしきい値未満の長さを持つアプリケーションデータを送信するために用いられる、ブロードキャストすることと、
前記専用チャネルを用いて前記端末によって送信される前記アプリケーションデータであって、不連続的に送信されると共に前記所定のしきい値未満の前記長さを持つ前記アプリケーションデータを受信することと
を備える通知方法。
＜項目４７＞
前記システムメッセージは少なくとも１つのシステムメッセージブロックを含み、前記少なくとも１つのシステムメッセージブロックのうち第１のシステムメッセージブロックは前記専用チャネルのプライマリスケジューリング情報を保持するために用いられ、前記プライマリスケジューリング情報は、スケジューリングウィンドウの長さ、スケジューリング期間、および、システムメッセージブロックマッピング情報を含む
項目４６に記載の方法。
＜項目４８＞
前記第１のシステムメッセージブロックは、前記専用チャネル上のそれぞれのサブチャネルを別々にスケジューリングするために用いられ、それぞれのサブチャネルのセカンダリスケジューリング情報は、前記少なくとも１つのシステムメッセージブロックのうち前記第１のシステムメッセージブロック以外の一の異なるシステムメッセージブロックを用いて別々に送信される
項目４７に記載の方法。
＜項目４９＞
前記第１のシステムメッセージブロックは、前記専用チャネル上の複数のサブチャネルの全てを同時にスケジューリングするために用いられ、前記専用チャネルの複数のサブチャネルの全てのセカンダリスケジューリング情報の全ては、格納されており、前記少なくとも１つのシステムメッセージブロックのうち第２のシステムメッセージブロックを用いて送信される
項目４７に記載の方法。
＜項目５０＞
それぞれのサブチャネルの前記セカンダリスケジューリング情報は、リソースブロック位置、周波数ドメイン開始位置、帯域幅およびサブチャネルスケジューリング期間を含む
項目４８または４９に記載の方法。
＜項目５１＞
複数の前記サブチャネルのそれぞれの複数のリソースブロックは時間ドメインにおいて連続している
項目４８から５０のいずれか一項に記載の方法。
＜項目５２＞
前記システムメッセージに保持される前記リソース構成情報はさらに、前記端末を識別するために用いられる直交符号セットまたは非直交符号セットを含み、
前記基地局は、前記専用チャネルを用いて前記端末が送信する直交符号または非直交符号、および、前記アプリケーションデータを受信し、前記直交符号または前記非直交符号を用いて前記端末を認識する
項目４６から５１のいずれか一項に記載の方法。
＜項目５３＞
前記専用チャネルのリソース構成が変化する場合、前記基地局は、更新後のシステムメッセージを前記端末にブロードキャストする  項目４６から５２のいずれか一項に記載の基地局。
＜項目５４＞
プログラムを格納するコンピュータ記憶媒体であって、前記プログラムは項目４６から５３のいずれか一項に記載の複数の段階を実行するために用いられるコンピュータ記憶媒体。
【国際調査報告】
2017535982.tif 000010
2017535982.tif 000011
2017535982.tif 000012
2017535982.tif 000013